(57)【要約】      （修正有）【課題】簡単な操作にて、予定時刻を設定でき、設定された時刻に通知する安価な装置を提供する。【解決手段】ものさしのごとく細長い形状であり時刻の目盛りを有し、軸あるいはガード・レールにより、ＬＥＤランプを内蔵する珠を設定時刻の位置にスライドさせることにより通知時間を設定する機能を有することに特徴があり、また同様に珠を時刻の目盛りの枠外にスライドさせることにより設定を解除する機能を有することに特徴のある設定時刻通知装置。【選択図】図３
0003133949.tif 000002
【実用新案登録請求の範囲】
【請求項１】
デジタル時計機構とアナログ的に算盤の珠を動かすがごとく時刻設定できる時刻設定機構と設定時刻にＬＥＤランプなどを点灯あるいは点滅することにより通知する機構により構成されたことを特徴とする設定時刻通知装置
【請求項２】
ものさしのごとく細長い形状であり時刻の目盛りを有し、軸あるいはガード・レールなどにより、ＬＥＤランプなどを内蔵する珠を設定時刻の位置にスライドさせることにより通知時間を設定する機能を有することに特徴があり、また同様に珠を時刻の目盛りの枠外にスライドさせることにより設定を解除する機能を有することに特徴のある請求項１に記載の設定時刻通知装置。
【請求項３】
テレビ、パソコンなどに取付けることができ、算盤の珠のごとき形状のランプを行動予定時刻の位置にスライドさせることにより通知時刻を設定できる手段を備えることを特徴とする請求項１に記載の設定時刻通知装置
【請求項４】
設定された時刻に、ＬＥＤランプの点灯あるいは点滅とともにブザー等による目覚まし時計の機能を有することを特徴とする請求項１に記載の設定時刻通知装置
【考案の詳細な説明】
【技術分野】
【０００１】本考案は、設定時刻通知装置に関する。
【背景技術】
【０００２】従来の技術として、テレビ番組などを予約録画するための装置などが提供されている。【０００３】また、設定時刻を通知する装置の従来技術として目覚ましアラーム時計などが提供されている。
【考案の開示】
【考案が解決しようとする課題】
【０００４】新聞の朝刊のテレビ番組欄を見て、例えば今夜の９時に見ようと思う番組があった場合、従来の技術では手間のかかるリモコン操作にて番組予約などにより設定するものであった。これが面倒であるので覚えておこうと思いながら、つい失念しテレビ番組を見逃すということがある。【０００５】老人、子供、あるいは多忙な人間など、だれでもが簡単な操作にて、予定時刻を設定でき、設定された時刻に通知する装置を安価に提供することが、社会のニーズとして求められている。
【課題を解決するための手段】
【０００６】本考案による設定時刻通知装置は、デジタル時計機構とアナログ的に算盤の珠を動かすがごとく時刻設定できる時刻設定機構と設定時刻に点灯あるいは点滅することにより通知する機構により構成されたことを特徴とするものである。【０００７】そして本考案による設定時刻通知装置は、ものさしのごとく細長い形状であり時刻の目盛りを有し、軸あるいはガード・レールにより、ＬＥＤランプを内蔵する珠を設定時刻の位置にスライドさせることにより通知時間を設定する機能を有することに特徴があり、また同様に珠を時刻の目盛りの枠外にスライドさせることにより設定を解除する機能を有することに特徴とする。【０００８】また本考案による設定時刻通知装置は、テレビあるいはパソコンの画面の上部あるいは下部あるいは側面に隣接して設置するものである。物差しのごとく細長い形状であり時刻の目盛りを有し、軸あるいはガード・レールにより、ＬＥＤランプを内蔵する珠を設定時刻の位置にスライドさせることにより通知時間を設定する機能を有することに特徴があり、また同様に珠を時刻の目盛りの枠外にスライドさせることにより設定を解除する機能を有することに特徴とするものである。【０００９】本考案による設定時刻通知装置は、テレビ、パソコンなどの画面に隣接して取付けることができ、算盤の珠のごとき形状のランプを行動予定時刻の位置にスライドさせることにより点灯通知時刻を設定できる手段を備えることを特徴とするものである。【００１０】設定された時刻に、ＬＥＤランプの点灯あるいは点滅とともにブザー等による目覚まし時計の機能を有することを特徴とする設定時刻通知装置である。つまりカーテンを閉めた状態で暗い室内であっても、目覚ましブザーやベルがなった際に、ＬＥＤランプの点灯あるいは点滅により目覚ましの鳴る場所を容易に認識することができ、テレビに隣接した設定時刻通知装置であるため、目覚ましを停止する作業とテレビの電源を入れる作業とを連続して行なうことができるという利便性を有するものである。これにより二度寝の可能性を低減させるものである。【００１１】本考案による設定時刻通知装置は、ボード部分が、長さ３０ｃｍから６０ｃｍとし、幅が２ｃｍから５ｃｍとすることが望ましく、いわば物差しのごとき形状であり、この長辺の両端にそれぞれ約５ｃｍの幅の設定解除スペースを設けるものとする。
この両端の設定解除スペースの内側が時刻目盛りとなる。【００１２】複数の珠と時刻目盛りの左右の枠外に設定解除スペースを設けることにより、複数の予定時刻の設定を可能としたことに特徴がある。例えば、午前１１時と午後３時と午後９時に予定時刻として設定する場合には、左右どちらかの枠外の設定解除スペースより珠を３個、それぞれの予定時刻にスライドさせることにより設定できるのである。
そして、午前１１時になり点灯したものを解除するには、この位置の珠を左の設定解除スペースに戻すことにより解除することができるのである。残りの２個の珠についても同様である。【００１３】ＬＥＤランプなどの点灯・点滅とともに、ブザー装置などを付属せしめることにより、より強力な通知機能を有するものとなり、これにより目覚まし時計の機能を備えるものとなるのである。これは、通常の目覚まし時計の機能に比べ、更に有効な機能であるといえる。つまり例えば設定時刻である朝６時にブザー音に気づき、これを停止させるために起床し、室内は暗く、また未だ完全には覚醒しない段階においても、ＬＥＤランプの点灯の方向を認識することが容易となり、通知時刻設定の解除とともにテレビの電源を入れるという行為が連続して行われることとなるのである。
これにより、かなり寝覚めの悪い人間であっても、上述のテレビの電源を入れるまでの連続行為を行うことが考えられ、就寝前にテレビの音量により調整が可能であるので、使用者の裁量の幅のある目覚まし時計としての機能となるのである。
【考案の効果】
【００１４】老人、子供などでも簡単に予定時刻を簡単し設定だけるだけでなく、これから勤務に出かける勤め人の朝の多忙な時間であっても、朝刊のテレビ欄を見て今夜見たい番組の時間に簡単に設定することができ、設定時間にＬＥＤランプが点灯あるいは点滅することにより、テレビ番組の見忘れを防止することに効果を有するものである。【００１５】本件考案の設定時刻通知装置は、通常、家の中では最も視線の集まるポイントであるテレビの画面に隣接して設置されるため、テレビ番組だけでなく、例えば外出の予定時刻、あるいは電話を掛ける予定時刻などを設定することにおり、通知機能としての効果なものとなる。【００１６】テレビを見ていたために、つい予定時刻を過ぎてしまうことが多いということからも、テレビ画面に隣接して設置される本考案の設定時刻通知装置は実用的な効果を有するものである。
【考案を実施するための最良の形態】
【００１７】本考案による設定時刻通知装置は、テレビあるいはパソコンの画面の上部あるいは下部あるいは側面に隣接して設置するものである。
形状として、３０ｃｍ定規のごとく細長く、時刻の目盛りを有する。長さとしては、３０ｃｍ以上であり最長テレビの横幅とすることが望ましい。この両端に約３ｃｍ−５ｃｍ幅のスペースを設け、これを時刻通報設定の解除スペースとする。解除スペースの内側を、時刻目盛りを付け設定時刻通報スペースとする。【００１８】通報時刻の設定は、算盤の珠のごとき形状のもので、例えば透明プラスチックなどが望ましく、これがＬＥＤなどで通報時刻に発光し、点灯あるいは点滅することにより通知するものとする。この珠は、複数個とし通常は解除スペースに位置し、時刻設定の際に時刻目盛りにスライドさせるものとすることとする。このスライドさせる機構としては、算盤の軸のごときものとしてもよいし、あるいはスライド用のレールなどを設けてもよい。【００１９】上述の通り、両側に解除スペースを設け、また複数の珠を設けることにより、複数の通知時刻を容易に設定することができ、また容易に解除することができるのである。
例えば、朝の７時の時点において、午前１１時と午後３時と夜１０時の３回の通知時刻を設定することができ、午前１１時が到来し認識すれば、その目盛りの位置の珠を、左の解除スペースに移動させるものとする。午後３時においても同様である。夜１０時においては右の解除スペースに移動させる等、簡便に設定と解除の操作を可能なものとする。【００２０】設定時刻通知装置は、テレビの視聴時においては目障りとならないものとし、時刻通知時においては目立つものとすることが必要である。この為、形状としては装置本体を平べったくすることにより目障りとならず、また珠も透明なものとする。
時刻の設定においては、装置の上方より見た場合には、見易く誤りなく時刻設定が出来るものとする。このため珠は、上方より見た際には、レンズとなり時刻表示が拡大されるものとしてもよい。
時刻の通知においては、ＬＥＤなどにより赤あるいは青など認識しやすい色にて発光するものとする。
【図面の簡単な説明】
【００２１】
【図１】本考案による設定時刻通知装置の平面概略図である。
【図２】本考案による設定時刻通知装置の正面概略図である。
【図３】本考案による設定時刻通知装置のテレビに設置した正面概略図である。
【符号の説明】
【００２２】１．時刻の目盛りを有する通知時刻設定の部分
２．通知時刻設定の解除の部分
３．ＬＥＤランプを内蔵する珠
４．ＬＥＤランプを内蔵する珠
５．珠をスライドさせる軸
６．テレビ
【図１】
0003133949.tif 000003
【図２】
0003133949.tif 000004
【図３】
0003133949.tif 000005
【手続補正書】
【提出日】平成19年4月12日(2007.4.12)
【手続補正１】
【補正対象書類名】実用新案登録請求の範囲
【補正対象項目名】全文
【補正方法】変更
【補正の内容】
【実用新案登録請求の範囲】
【請求項１】
デジタル時計機構と、このデジタル時計機構の時刻に算盤の珠を動かすがごとき設定動作によりアラーム時刻を設定できるアラーム時刻設定機構と、このアラーム時刻設定機構により設定された時刻にＬＥＤランプなどを点灯あるいは点滅することによりアラーム通知する機構により構成されたことを特徴とする設定時刻通知装置
【請求項２】
ものさしのごとく細長い形状であり時刻の目盛りを有し、軸あるいはガード・レールなどにより、ＬＥＤランプなどを内蔵する珠を設定時刻の位置にスライドさせることにより通知時間を設定する機能を有することに特徴があり、また同様に珠を時刻の目盛りの枠外にスライドさせることにより設定を解除する機能を有することに特徴のある請求項１に記載の設定時刻通知装置
【請求項３】
テレビ、パソコンなどに取付けることができ、算盤の珠のごとき形状のランプを行動予定時刻の位置にスライドさせることにより通知時刻を設定できる手段を備えることを特徴とする請求項１に記載の設定時刻通知装置
【請求項４】
設定された時刻に、ＬＥＤランプの点灯あるいは点滅とともにブザー等による目覚まし時計の機能を有することを特徴とする請求項１に記載の設定時刻通知装置